(57)【要約】      （修正有）【課題】はく離、はく落を抑制し、鋼材腐食等により劣化した高架橋スラブの補強を行う、Ｈ形鋼とデッキプレートを用いた高架橋スラブの補強工法及びその補強構造を提供する。【解決手段】既設スラブ１の下面にアンカー筋４を打設し、アンカー筋４の下端にＨ形鋼５を接続して橋軸直角方向に設置し、Ｈ形鋼５の上にデッキプレート３を橋軸方向に設置し、既設スラブ１とデッキプレート３との間に充填材２を充填する。【選択図】図２
2012229533.tif 000002
【特許請求の範囲】
【請求項１】
Ｈ形鋼を既設スラブの下面に橋軸直角方向に設置し、該Ｈ形鋼の上にデッキプレートを橋軸方向に設置し、前記既設スラブと前記デッキプレートとの間に充填材を充填することを特徴とするＨ形鋼とデッキプレートを用いた高架橋スラブの補強工法。
【請求項２】
請求項１記載のＨ形鋼とデッキプレートを用いた高架橋スラブの補強工法において、前記既設スラブにアンカー筋を打設し、該アンカー筋の下端に前記Ｈ形鋼を接続して設置することを特徴とするＨ形鋼とデッキプレートを用いた高架橋スラブの補強工法。
【請求項３】
請求項１記載のＨ形鋼とデッキプレートを用いた高架橋スラブの補強工法において、前記充填材はモルタルであることを特徴とするＨ形鋼とデッキプレートを用いた高架橋スラブの補強工法。
【請求項４】
請求項１記載のＨ形鋼とデッキプレートを用いた高架橋スラブの補強工法において、前記Ｈ形鋼の端部の下面に主桁受を配置し、該主桁受をアンカー筋によって固定することを特徴とするＨ形鋼とデッキプレートを用いた高架橋スラブの補強工法。
【請求項５】
請求項１記載のＨ形鋼とデッキプレートを用いた高架橋スラブの補強工法において、前記デッキプレートに前記既設スラブ上面からの水を抜くための穴を形成することを特徴とするＨ形鋼とデッキプレートを用いた高架橋スラブの補強工法。
【請求項６】
請求項１記載のＨ形鋼とデッキプレートを用いた高架橋スラブの補強工法において、前記デッキプレートの橋軸方向末端部に隣接して端部隙間塞ぎを配置することを特徴とするＨ形鋼とデッキプレートを用いた高架橋スラブの補強工法。
【請求項７】
（ａ）既設スラブの下面に橋軸直角方向に設置されるＨ形鋼と、
（ｂ）該Ｈ形鋼の上に橋軸方向に設置されるデッキプレートと、
（ｃ）前記既設スラブと前記デッキプレートとの間に充填される充填材とを具備することを特徴とするＨ形鋼とデッキプレートを用いた高架橋スラブの補強構造。
【請求項８】
請求項７記載のＨ形鋼とデッキプレートを用いた高架橋スラブの補強構造において、前記充填材はモルタルであることを特徴とするＨ形鋼とデッキプレートを用いた高架橋スラブの補強構造。
【請求項９】
請求項７記載のＨ形鋼とデッキプレートを用いた高架橋スラブの補強構造において、前記Ｈ形鋼の端部の下面に配置され、アンカー筋によって固定される主桁受を具備することを特徴とするＨ形鋼とデッキプレートを用いた高架橋スラブの補強構造。
【請求項１０】
請求項７記載のＨ形鋼とデッキプレートを用いた高架橋スラブの補強構造において、前記デッキプレートは前記既設スラブ上面からの水を抜くために形成された穴を有することを特徴とするＨ形鋼とデッキプレートを用いた高架橋スラブの補強構造。
【請求項１１】
請求項７記載のＨ形鋼とデッキプレートを用いた高架橋スラブの補強構造において、前記デッキプレートの橋軸方向末端部に隣接して配置される端部隙間塞ぎを具備することを特徴とするＨ形鋼とデッキプレートを用いた高架橋スラブの補強構造。
【発明の詳細な説明】
【技術分野】
【０００１】
本発明は、Ｈ形鋼とデッキプレートを用いた高架橋スラブの補強工法及びその補強構造に係り、特に、はく離、はく落を抑制し、鋼材腐食等により劣化した高架橋スラブの補強を行う、Ｈ形鋼とデッキプレートを用いた高架橋スラブの補強工法及びその補強構造に関するものである。
【背景技術】
【０００２】
従来、変状が生じた高架橋スラブについては、表面被覆工法、断面修復工法などを用いた補修・補強工法が用いられてきた（下記非特許文献１参照）。
一方、図１０に示されるように、グレーティング床版は、急速施工、死荷重軽減のニーズに応えるために普及してきている。特に、増大する交通量と、大型車両に対し、グレーティング床版は薄い床版厚で十分対処でき、桁上にならべた上にコンクリートを打設することで、急速施工が可能である（下記非特許文献２参照）。
【先行技術文献】
【非特許文献】
【０００３】
【非特許文献１】コンクリートのひび割れ調査，補修・補強指針−２００３−，付：ひび割れ調査と補修・補強事例，社団法人  日本コンクリート工学協会，〔事例２７〕，ｐｐ．２５４−２６０
【非特許文献２】ＮＴＢ  日鉄トピーブリッジ，グレーティング  ソリッドタイプ  カタログ  Ｎｏ．ＫＣ１５６，２０１０．３，ｐｐ．１
【発明の概要】
【発明が解決しようとする課題】
【０００４】
しかしながら、近年、施工当時の内在塩分の影響などから、鋼材腐食が進行し、特に、下側鉄筋の腐食が進んでいるスラブ高架橋が散見される。鋼材が腐食するとひび割れ、はく離・はく落が発生し、さらに腐食すると、耐力に影響を及ぼす可能性があり、安全性を脅かす恐れがある。
本発明は、上記状況に鑑みて、はく離、はく落を抑制し、鋼材腐食等により劣化した高架橋スラブの補強を行う、Ｈ形鋼とデッキプレートを用いた高架橋スラブの補強工法及びその補強構造を提供することを目的とする。
【課題を解決するための手段】
【０００５】
本発明は、上記目的を達成するために、
〔１〕Ｈ形鋼とデッキプレートを用いた高架橋スラブの補強工法において、Ｈ形鋼を既設スラブの下面に橋軸直角方向に設置し、このＨ形鋼の上にデッキプレートを橋軸方向に設置し、前記既設スラブと前記デッキプレートとの間に充填材を充填することを特徴とする。
【０００６】
〔２〕上記〔１〕記載のＨ形鋼とデッキプレートを用いた高架橋スラブの補強工法において、前記既設スラブにアンカー筋を打設し、このアンカー筋の下端に前記Ｈ形鋼を接続して設置することを特徴とする。
〔３〕上記〔１〕記載のＨ形鋼とデッキプレートを用いた高架橋スラブの補強工法において、前記充填材はモルタルであることを特徴とする。
【０００７】
〔４〕上記〔１〕記載のＨ形鋼とデッキプレートを用いた高架橋スラブの補強工法において、前記Ｈ形鋼の端部の下面に主桁受を配置し、この主桁受をアンカー筋によって固定することを特徴とする。
〔５〕上記〔１〕記載のＨ形鋼とデッキプレートを用いた高架橋スラブの補強工法において、前記デッキプレートに前記既設スラブ上面からの水を抜くための穴を形成することを特徴とする。
【０００８】
〔６〕上記〔１〕記載のＨ形鋼とデッキプレートを用いた高架橋スラブの補強工法において、前記デッキプレートの橋軸方向末端部に隣接して端部隙間塞ぎを配置することを特徴とする。
〔７〕Ｈ形鋼とデッキプレートを用いた高架橋スラブの補強構造において、既設スラブの下面に橋軸直角方向に設置されるＨ形鋼と、このＨ形鋼の上に橋軸方向に設置されるデッキプレートと、前記既設スラブと前記デッキプレートとの間に充填される充填材とを具備することを特徴とする。
【０００９】
〔８〕上記〔７〕記載のＨ形鋼とデッキプレートを用いた高架橋スラブの補強構造において、前記充填材はモルタルであることを特徴とする。
〔９〕上記〔７〕記載のＨ形鋼とデッキプレートを用いた高架橋スラブの補強構造において、前記Ｈ形鋼の端部の下面に配置され、アンカー筋によって固定される主桁受を具備することを特徴とする。
【００１０】
〔１０〕上記〔７〕記載のＨ形鋼とデッキプレートを用いた高架橋スラブの補強構造において、前記デッキプレートは前記既設スラブ上面からの水を抜くために形成された穴を有することを特徴とする。
〔１１〕上記〔７〕記載のＨ形鋼とデッキプレートを用いた高架橋スラブの補強構造において、前記デッキプレートの橋軸方向末端部に隣接して配置される端部隙間塞ぎを具備することを特徴とする。
【発明の効果】
【００１１】
本発明によれば、はく離、はく落を抑制し、鋼材腐食等により劣化した高架橋スラブの補強を行うことができる。
【図面の簡単な説明】
【００１２】
【図１】本発明の橋梁ＲＣ床版補強の平面概略図である。
【図２】図１のＡ−Ａ断面図である。
【図３】図１のＢ−Ｂ断面図である。
【図４】デッキプレートの概略図である。
【図５】本発明の実施例を示すＨ形鋼とデッキプレートを用いた高架橋スラブの補強工法の施工時における橋梁の一端部を示す図２のｂ部詳細図である。
【図６】図５の上面図である。
【図７】本発明の実施例を示すＨ形鋼とデッキプレートを用いた高架橋スラブの補強工法の施工時における橋梁の一般部を示す図２のａ部詳細図である。
【図８】図７のＨ形鋼の上部下面図である。
【図９】本発明の実施例を示すＨ形鋼とデッキプレートを用いた高架橋スラブの補強工法の施工時における橋梁の他端部を示す図３のｃ部詳細図である。
【図１０】従来のグレーティング床版による施工状況を示す図面代用写真である。
【発明を実施するための形態】
【００１３】
本発明のＨ形鋼とデッキプレートを用いた高架橋スラブの補強方法は、Ｈ形鋼を既設スラブの下面に橋軸直角方向に設置し、このＨ形鋼の上にデッキプレートを橋軸方向に設置し、前記既設スラブと前記デッキプレートとの間に充填材を充填する。
【実施例】
【００１４】
以下、本発明の実施の形態について詳細に説明する。
図１は本発明の橋梁ＲＣ床版補強の平面概略図、図２は図１のＡ−Ａ断面図、図３は図１のＢ−Ｂ断面図、図４はデッキプレートの概略図である。
これらの図において、１は床版（既設スラブ）、２は充填材、３はデッキプレート、４，７はアンカー筋（あと施工アンカー）、５は主桁（Ｈ形鋼）、６は主桁受、８は梁、９は柱である。なお、Ｘは橋軸方向、Ｙは橋軸直角方向である。
【００１５】
本発明においては、床版１にアンカー筋４を打設し、このアンカー筋４を用いてＨ形鋼５を橋軸直角方向（Ｙ方向）に設置し、このＨ形鋼５の上にデッキプレート３を橋軸方向（Ｘ方向）に設置し、このデッキプレート３と床版１との間に充填材２として空隙充填モルタルを充填するようにした。
Ｈ形鋼５の両端には主桁受６が配置され、この主桁受６はアンカー筋７を梁８に打設することによって梁８に固定されて、Ｈ形鋼５を下面から支持する。
【００１６】
また、デッキプレート３は、床版１の下面を覆うように設置することにより、既設スラブのはく離、はく落を抑制することができる。さらに、スラブ上面からの水を抜くための穴を設け、なるべく水が溜まらないような構造とすることができる。
図５は本発明の実施例を示すＨ形鋼とデッキプレートを用いた高架橋スラブの補強工法の施工時における橋梁の一端部を示す図２のｂ部詳細図、図６は図５の上面図、図７はその施工時における橋梁の一般部を示す図２のａ部詳細図、図８は図７のＨ形鋼の上部下面図、図９はその施工時における橋梁の他端部を示す図３のｃ部詳細図である。
【００１７】
これらの図において、１０は床版、１１はデッキプレート、１２，１８はアンカー筋（あと施工アンカー）、１３は主桁（Ｈ形鋼）、１４，１６，１９はナット、１５は固定ボルト、１７は主桁受、２１は端部隙間塞ぎである。
ここでは、橋梁ＲＣ床版１０を補強するために、まず、既設スラブの下面にＨ形鋼１３を配置し、アンカー筋１２にナット１４を設置することによってＨ形鋼１３を固定する。
【００１８】
また、図６に示すように、デッキプレート１１の末端部に隣接して、Ｈ形鋼１３の上面上に端部隙間塞ぎ２１が配置され、Ｈ形鋼１３の上面は、アンカー用長孔１３Ａ，１３Ｂに挿入されるアンカー筋１２の位置を調整しながらナット１４で固定される。
さらに、Ｈ形鋼（主桁）１３の下面には、固定ボルト１５とナット１６を用いて主桁受１７が固定され、その主桁受１７はまた、Ｈ形鋼１３と同じ方向に配置されるアンカー筋１８にナット１９によって固定される。
【００１９】
なお、上記した補強工法に用いる部材には、なるべく小さく軽い材料を使用し、施工によって上部工の死荷重が大きくなることを極力避けるようにする。
本発明による高架橋スラブの補強工法によれば、既設スラブに対する「はつり作業」を可能な限り行わないようにしたので、総足場を必要とせず、無騒音・無振動で実施することができる。また、既設スラブとＨ形鋼の間にはアンカーを設置するが、デッキプレート直上の充填モルタルと既設スラブの間にはアンカーを設置しないようにしたので、新たに打設するアンカー筋の数を極力増加させずに既設スラブとの一体化を図ることができる。
【００２０】
なお、本発明は上記実施例に限定されるものではなく、本発明の趣旨に基づき種々の変形が可能であり、これらを本発明の範囲から排除するものではない。
【産業上の利用可能性】
【００２１】
本発明のＨ形鋼とデッキプレートを用いた高架橋スラブの補強工法及びその補強構造は、はく離、はく落を抑制し、鋼材腐食等により劣化した高架橋スラブの補強を行う、Ｈ形鋼とデッキプレートを用いた補強工法及びその補強構造として利用可能である。
【符号の説明】
【００２２】
１，１０    床版（既設スラブ）
２    充填材
３，１１    デッキプレート
４，７，１２，１８    アンカー筋（あと施工アンカー）
５，１３    主桁（Ｈ形鋼）
６，１７    主桁受
８    梁
９    柱
１３Ａ，１３Ｂ    アンカー用長孔
１４，１６，１９    ナット
１５    固定ボルト
２１    端部隙間塞ぎ
【図１】
2012229533.tif 000003
【図２】
2012229533.tif 000004
【図３】
2012229533.tif 000005
【図４】
2012229533.tif 000006
【図５】
2012229533.tif 000007
【図６】
2012229533.tif 000008
【図７】
2012229533.tif 000009
【図８】
2012229533.tif 000010
【図９】
2012229533.tif 000011
【図１０】
2012229533.tif 000012